(57)【特許請求の範囲】
【請求項１】
少なくとも周方向に延伸され、熱収縮性を有する筒状ラベルにおいて、
前記筒状ラベルの主軸方向に沿って延設された左右一組の分断補助線と、
前記ラベルの上端部位置又は下端部位置或いはその両方の位置に、前記一組の分断補助線を最外側から挟み、かつ、前記分断補助線と平行に複数の細孔孔が縦列して設けられた、左右一組の破断用細長孔群と、を有し、前記破断用細長孔群を構成する細長孔のうち、ラベル上端若しくは下端に最も近い位置に設けられた細長孔は、左右共に前記ラベルの上端側若しくは下端側が互いの方向に傾けられて形成されていることを特徴とする熱収縮性筒状ラベル。
【請求項２】
少なくとも周方向に延伸され、熱収縮性を有する筒状ラベルにおいて、
前記筒状ラベルの主軸方向に沿って延設された左右一組の分断補助線と、
前記ラベルの上端部位置又は下端部位置或いはその両方の位置に、前記一組の分断補助線を最外側から挟み、かつ、前記分断補助線と平行に複数の細孔孔が縦列して設けられた、左右一組の破断用細長孔群と、を有し、前記左右一組の破断用細長孔群で挟まれた領域に、滑り止め手段を設けたことを特徴とする熱収縮性筒状ラベル。
【請求項３】
前記ラベルの上端又は下端或いはその両方に、前記一組の破断用細長孔群の間に設けられた左右一組のきっかけ部を有することを特徴とする請求項１又は２に記載の熱収縮性筒状ラベル。
【請求項４】
前記きっかけ部は、各分断補助線上に設けられていることを特徴とする請求項３に記載の熱収縮性筒状ラベル。
【請求項５】
前記左右一組の破断用細長孔群は、その間隔がユーザーの指腹の接地部分の幅と同じか或いはその幅よりも長いことを特徴とする請求項１、２、３又は４に記載の熱収縮性筒状ラベル。
【請求項６】
前記左右一組の破断用細長孔群で挟まれた領域に、滑り止め手段を設けたことを特徴とする請求項１、３、４又は５に記載の熱収縮性筒状ラベル。
【請求項７】
前記破断用細長孔群を構成する細長孔は、レーザーによって開口され、開口面積を有していることを特徴とする請求項１、２、３、４、５又は６に記載の熱収縮性筒状ラベル。
【請求項８】
請求項１、２、３、４、５、６又は７に記載の熱収縮性筒状ラベルが密着された容器に充填されていることを特徴とする製品。
【発明の詳細な説明】
【技術分野】
【０００１】
本発明は、飲料・食品等の容器に装着され、シュリンクさせることで密着させる熱収縮性管状ラベル（所謂シュリンクラベル）に関し、特にボトルからラベルを容易に引き剥がすことができるラベル及びそれを用いた容器に充填された製品に関する。
【背景技術】
【０００２】
飲料・食品用容器、特にポリエチレンテレフタレート樹脂で成形されたＰＥＴボトルは、その胴部円周を取り巻くようにラベルが装着されている。そして、容器使用後はリサイクルのため、ラベルをボトルから剥がし、分別廃棄することが望まれている。そのため、ラベルにはあらかじめ易剥離性を付与しておくことが必要となっている。そこで、従来、ラベルを容易に剥がせるように、ラベルの一端から他端に向かって筒状の軸方向と平行にミシン目が連続的に設けられている。
【０００３】
従来の熱収縮性管状ラベルには、そのラベルが軽量化ペットボトルに装着され、該ボトルが衝撃を受けると、前記ミシン目が破けてしまうという問題があるとして、その問題に対して、従来のミシン目を設けずにラベルの上下端の位置に複数個の破断孔を連設する技術がある（例えば、特許文献１を参照。）。
【０００４】
また、筒状ラベルの周方向に伸びる分断起点用の切り目を設け、その切れ目の両端部を厚肉状として、分断しやすく、かつ、衝撃を受けても筒状ラベルを破断させにくくする技術がある（例えば、特許文献２を参照。）。
【０００５】
このように熱収縮性管状ラベルについて、ラベルを剥がし易くする工夫がいくつか開示されている。
【０００６】
【特許文献１】特開２００５‐１０５７８号公報
【特許文献２】特開２００７‐２０４１１２号公報
【発明の開示】
【発明が解決しようとする課題】
【０００７】
しかし、従来のラベルはもちろんのこと、特許文献１又は２に係るラベルついても、熱収縮させたラベルはボトル表面に張り付いており、ラベル端を容易に剥がし出すことができない。さらに、ボトル形状によってはラベル端がボトルのリブ部（窪み部）にかかってしまい、指を入れることすら困難な場合がある。
【０００８】
そこで、本発明の目的は、ラベルを容易に剥がすことを可能とすること、より具体的には、従来どおり爪を立ててラベルの一部を剥がして剥がし用のつまみを形成し、そのつまみを引っ張ることでラベルの一端から他端まで破くことができること、或いは、指腹でラベル端部を押しずらすことでラベルを破って剥がし用のつまみを形成し、そのつまみを引っ張ることでラベルの一端から他端まで破くことができる熱収縮性筒状ラベルを提供することである。また本熱収縮性筒状ラベルを用いた容器に充填された製品、特に主として飲料製品を提供することも目的とする。
【課題を解決するための手段】
【０００９】
本発明者らは、従来のミシン目（以下、分断補助線ともいう）に加えて、そのミシン目線上を外してその外側に左右一組の破断用細長孔群を設けることで、従来の爪を使った剥がし方に加え、ラベル端がボトルに張り付いていても剥がしやすい、指腹で押しずらす剥がし方ができるラベルを開発するに至った。すなわち、本発明に係る熱収縮性筒状ラベルは、少なくとも周方向に延伸され、熱収縮性を有する筒状ラベルにおいて、前記筒状ラベルの主軸方向に沿って延設された左右一組の分断補助線と、前記ラベルの上端部位置又は下端部位置或いはその両方の位置に、前記一組の分断補助線を最外側から挟み、かつ、前記分断補助線と平行に複数の細孔孔が縦列して設けられた、左右一組の破断用細長孔群と、を有し、前記破断用細長孔群を構成する細長孔のうち、ラベル上端若しくは下端に最も近い位置に設けられた細長孔は、左右共に前記ラベルの上端側若しくは下端側が互いの方向に傾けられて形成されていることを特徴とする。破断用細長孔群を構成する細長孔のうち、ラベル上端若しくは下端に最も近い位置に設けられた細長孔を上記のように傾けることで、破断用細長孔群を起点とする引き裂きを分断補助線につながりやすくできる。また、指腹の形状に合わせたこととなり、指腹で押しずらす剥がし方においてより剥がしやすくなる。また、本発明に係る熱収縮性筒状ラベルは、少なくとも周方向に延伸され、熱収縮性を有する筒状ラベルにおいて、前記筒状ラベルの主軸方向に沿って延設された左右一組の分断補助線と、前記ラベルの上端部位置又は下端部位置或いはその両方の位置に、前記一組の分断補助線を最外側から挟み、かつ、前記分断補助線と平行に複数の細孔孔が縦列して設けられた、左右一組の破断用細長孔群と、を有し、前記左右一組の破断用細長孔群で挟まれた領域に、滑り止め手段を設けたことを特徴とする。
【００１０】
本発明に係る熱収縮性筒状ラベルでは、前記ラベルの上端又は下端或いはその両方に、前記一組の破断用細長孔群の間に設けられた左右一組のきっかけ部を有することが好ましい。左右一組のきっかけ部を設けることで、初期の引き裂き力を低減させることが可能であり、開封性が向上する。特に従来の爪を立ててラベルを剥がす剥がし方において開封性が向上する。
【００１１】
本発明に係る熱収縮性筒状ラベルでは、前記きっかけ部は、各分断補助線上に設けられていることが好ましい。きっかけ部で生じた分断が分断補助線につながりやすくなるので、途中でつまみだけが引きちぎれることなく、その後の引き裂きがスムーズに行なわれる。
【００１３】
本発明に係る熱収縮性筒状ラベルでは、前記左右一組の破断用細長孔群は、その間隔がユーザーの指腹の接地部分の幅と同じか或いはその幅よりも長いことが好ましい。指腹で押しずらす剥がし方において左右一組の破断用細長孔群で挟まれた部分をつまみとして剥がしやすくなる。
【００１４】
本発明に係る熱収縮性筒状ラベルでは、前記左右一組の破断用細長孔群で挟まれた領域に、滑り止め手段を設けることが好ましい。指腹で押しずらす剥がし方において指腹で押さえつける力を低減させることができる。
【００１５】
本発明に係る熱収縮性筒状ラベルでは、前記破断用細長孔群を構成する細長孔は、レーザーによって開口され、開口面積を有していることが好ましい。レーザーで切り欠いた周囲が熱溶融して厚肉化し、破け難くなる。また、細長孔が開口面積を有することで、破断用細長孔群で挟まれた部分をつまみとして破断しやすくなる。
【００１６】
本発明に係る製品は、本発明に係る熱収縮性筒状ラベルを用いた容器に充填されていることを特徴とする。
【発明の効果】
【００１７】
本発明に係る熱収縮性筒状ラベルによれば、２つの剥がし方ができる。一つ目は従来どおりの剥がし方であって、爪を立ててラベルを剥がして剥がし用のつまみを形成し、そのつまみを引っ張ることでラベルの一端から他端まで破く剥がし方である。２つ目は指腹でラベル端部を押しずらすことでラベルを破って剥がし用のつまみを形成し、そのつまみを引っ張ることでラベルの一端から他端まで破く剥がし方である。本発明では、指腹で押しずらす剥がし方ができるので、ラベルが熱収縮して、ボトルにぴったりと張り付いている場合においても、さらにリブの窪みがあってラベル端縁がその部位に位置していても、容易にラベルを剥がすことができる。また本発明の製品は、本熱収縮性筒状ラベルを用いた容器に充填されているため、ラベルを剥がすことが容易である。
【発明を実施するための最良の形態】
【００１８】
添付の図面を参照して本発明の実施の形態を説明する。以下に説明する実施の形態は本発明の構成の例であり、本発明は、以下の実施の形態に制限されるものではない。本発明の効果を奏する限り、種々の形態変更をしてもよい。
【００１９】
図１に第１形態に係る熱収縮性筒状ラベル（シュリンク前）の正面概略図を示す。なお、図１では、熱収縮性筒状ラベルを平面状に畳んだ状態を示している。図１に示すように、第１形態に係る熱収縮性筒状ラベル１００は、少なくとも周方向Ｙに延伸され、熱収縮性を有する筒状ラベルにおいて、筒状ラベルの主軸Ｘ方向に沿って延設された左右一組の分断補助線２と、ラベルの上端部位置又は下端部位置或いはその両方の位置に、一組の分断補助線２を最外側から挟み、かつ、分断補助線２と平行に複数の細孔孔が縦列して設けられた、左右一組の破断用細長孔群３と、を有する。
【００２０】
筒状ラベルは、従来から使用されているシュリンクフィルムからなり、少なくとも周方向Ｙに熱収縮性を有するものであればその材質は特に限定されない。例えば、ポリエチレンテレフタレート（ＰＥＴ）などのポリエステル系樹脂、ポリプロピレン（ＰＰ）などのオレフィン系樹脂、ポリスチレン（ＰＳ）、スチレン‐ブタジエン共重合体などのスチレン系樹脂、環状オレフィン系樹脂又は塩化ビニル系樹脂などの熱可塑性樹脂からから選ばれる１種、又は２種以上の混合物などからなる合成樹脂製フィルムである。これらの合成樹脂製フィルムを周方向Ｙに延伸し、熱収縮性を得る。筒状ラベルの主軸X方向にも若干延伸された二軸延伸フィルムを用いてもよい。フィルムの厚みは、通常、２０〜８０μｍ程度のものが用いられる。
【００２１】
筒状ラベルは、それを構成するフィルムの周方向Ｙの端４について、右端４ａと左端４ｂとを重ねて、筒状形状をなし、重なり部分についてセンターシールをすることで固定される。センターシール部分１は、糊付け若しくは融着によって接合されている。
【００２２】
分断補助線２は、筒状ラベルの主軸X方向に沿って延設されている。図１に示すように、分断補助線２は、センターシール部分１の両脇にセンターシール部分１に重ならないように、設けることが好ましい。左分断補助線２ｂと右分断補助線２ａは、いずれもミシン目状に孔があけられたものであり、分断補助線２は、筒状ラベルの上端５ａから下端５ｂに至るまで設けられていることが好ましい。筒状ラベルの上端５ａから下端５ｂに至るまでつながっていることで、引き裂き時のガイドとなる。また、センターシール部分は２枚重ねで他の部分よりも強度が強いことから、分断補助線２がセンターシール部分１の両脇にあることで、分断補助線２に沿って筒状ラベルを引き裂くときに途中切れを防止することができる。なお、分断補助線２の孔の大きさは例えば、１ｍｍ以下、孔同士の間隔は３〜７ｍｍであるが、ボトルの容量、ボトルの重量又は径によって、孔の大きさとその間隔が適宜調整される。
【００２３】
破断用細長孔群３は、左側破断用細長孔群３ｂと右側破断用細長孔群３ａの左右一組からなる。図１に示すように、破断用細長孔群３は、一組の分断補助線２を最外側から挟む位置に配置される。すなわち、左側破断用細長孔群３ｂは、左分断補助線２ｂの左側に配置され、右側破断用細長孔群３ａは、右分断補助線２ａの右側に配置される。指腹でずらして剥がすときに、まず、破断用細長孔群３が相互につながるように破断するが、破断用細長孔群３が一組の分断補助線２を最外側から挟む位置に配置されることで、破断用細長孔群３の破断に次いでその内側に配置された分断補助線２の孔にその破断が効率良くつながる。すなわち、破断用細長孔群３の破断が生じた後、次いで分断補助線２の破断が効率よく起こり、つまみの形成が形成される。このつまみを引っ張ることで筒状ラベルが最終的に断裂する。破断用細長孔群３を分断補助線２上に設けてしまうと、衝撃によるラベルの破断が生じやすくなり、ラベル強度の低下が生じてしまう。破断用細長孔群３と分断補助線２との距離は０．５〜３ｍｍとすることが好ましく、０．８〜１．５ｍｍとすることがより好ましい。
【００２４】
破断用細長孔群３ａは、図１に示すように、例えば細長孔３ａ１，３ａ２，３ａ３の３つの細孔孔から構成される。図２及び図３は、ラベル上端部位置に設けた破断用細長孔群の形態例を示す図である。ラベル下端部位置に設けた破断用細長孔群についても同様の形態をとるため、記載を省略した。ラベル上端部位置とは、ラベル上端側のフィルム部分のことであり、ラベル下端部位置とは、ラベル下端側のフィルム部分のことである。ラベルの上下は、印刷の上下に対応する。図２（ａ）は図１のＡ領域の部分拡大図である。破断用細長孔群３ａは、３つの細長孔からなる場合（図２（ａ）（ｂ））の他、２つの細長孔からなる場合（図２（ｃ）（ｄ）、図３（ａ）（ｂ））があり、４つの細長孔（図３（ｃ）（ｄ））からなっていてもよい。このように破断用細長孔群３ａは２〜４つの細長孔からなることが好ましい。破断用細長孔群３ａが５つ以上の細長孔からなる場合、破断用細長孔群３ａの長さｋが長すぎるか、或いはｋを同じとすると細長孔の長径の長さが短径の長さに近づくので円形孔の形状に近づき、細長形状の孔となりにくくなる。破断用細長孔群３ａの長さｋが長すぎると、ラベル強度が低下する場合がある。また、細長孔の長径の長さが短径の長さに近づきすぎても指腹でフィルムをずらし難くなる場合がある。このような観点から、破断用細長孔群３ａの長さｋは指腹の接地長さほどが好ましく例えば５〜２０ｍｍ、より好ましくは８〜１５ｍｍとする。また細長孔の長径ｍは１．５〜７ｍｍ、好ましくは２〜４ｍｍとし、細長孔の短径ｎは０．２５〜１．５ｍｍ、好ましくは０．５〜１ｍｍとする。また、長径ｍ／短径ｎは１．５〜１５、好ましくは２〜７とする。細孔孔と細孔孔との間隔は、０．２５〜２ｍｍ、好ましくは０．５〜１ｍｍとする。細孔孔と細孔孔との間の非開口部分は、橋部となり、指腹でずらされたときに破断する箇所となる。破断用細長孔群３ｂについても、破断用細長孔群３ａと対象形状とすることが好ましく、破断用細長孔群の長さｋ、細長孔の数、長径ｍ、短径ｎ、長径ｍ／短径ｎについては、破断用細長孔群３ａと同様である。
【００２５】
なお、シュリンクした後の細長孔の長径ｍは１．０〜９ｍｍ、好ましくは２〜４ｍｍとし、細長孔の短径ｎは０．５〜４ｍｍ、好ましくは０．８〜２ｍｍとする。また、長径ｍ／短径ｎは１．２〜１２、好ましくは１．５〜５とする。周方向Ｙに沿ってフィルムに張力が働くため、シュリンク前と比較すると、特に細長孔の短径が開き、指腹でずらしやすく、開封性が向上する。
【００２６】
図２（ｃ）は、図２（ａ）と比較すると、ラベルの上端から遠い方の細長孔を開けなかった形態であり、長さｋを短くする場合に有効である。図３（ａ）は、図２（ｃ）と比較すると、ラベルの上端から遠い方の細長孔の長径を大きくした形態例である。図３（ｃ）は、図２（ａ）と比較すると、ラベルの上端から遠い方の細長孔をさらに１つ追加して開けた形態であり、長さｋを長くする場合に有効である。細長孔の細長形状を保ちつつ、適宜、破断用細長孔群の長さｋ、細長孔の数、長径ｍ、短径ｎ、長径ｍ／短径を変更することが可能となる。
【００２７】
細長孔の形状は、図に示したような長方形にその角にＲをつけた形状の他、細長楕円形状としてもよい。また、単なる切れ込みの孔としてもよいが、開口面積を有する孔、すなわち、短径ｎが存在している方が好ましい。細長孔の開口が存在することによって、フィルムを平面上で歪ませやすくなるため、指腹でフィルムをずらしやすくなる。このような開口面積を有する細長孔を形成するためには、レーザー光線を照射し、フィルムを熱溶融させて穴あけすることが好ましい。孔の形状の精度を高めることができ、また、孔の縁が熱溶融にともなって厚肉化し、衝撃による破れのトラブルが発生抑制できる。また、ボトル形状に合わせて破断用細長孔群の形状変更が容易である。また、ラベル生産時とラベル装着時のいずれにおいても容易に破断用細長孔群の形成ができる。なお、ダイカッターを用いて、細孔孔をくりぬく加工を施して細孔孔を形成してもよい。
【００２８】
左右一組の破断用細長孔群３は、その間隔がユーザーの指腹の接地部分の幅と同じか或いはその幅よりも長いことが好ましい。指腹で押しずらす剥がし方において左右一組の破断用細長孔群で挟まれた部分をつまみとして剥がしやすくなる。指腹の接地部分の幅は、ユーザーによって多少の差異があるが、左右一組の破断用細長孔群３の間隔は、例えば８〜３０ｍｍとすることが好ましく、１５〜２０ｍｍとすることがより好ましい。８ｍｍよりも小さいと、破断用細長孔群３よりも外側の領域についても指腹で押しずらすこととなるので、破断用細長孔群３で挟まれた領域のみを押しずらすことがやりづらくなる場合がある。一方、３０ｍｍよりも大きいと、指腹の接地箇所が破断用細長孔群３から離れてしまい、破断用細長孔群３で分断することが難しくなる場合がある。
【００２９】
後述するきっかけ部９を設けない形態において、破断用細長孔群３を構成する細長孔のうち、ラベル上端５ａに最も近い位置に設けられた細長孔（例えば、図１で示すならば、細長孔３ａ１と３ｂ１）は、その先端とラベルの上端５ａ又は下端５ｂとの距離を０．５〜４ｍｍとすることが好ましく、より好ましくは１．２〜２ｍｍである。衝撃によって破断用細長孔群３に破れが導かれないようにするため、また、左右一組の破断用細長孔群３で挟まれた箇所を指腹で押しずらす場合に多少の力を加えてからラベル上端５ａまで破れが導かれるようにするために、上記程度の距離をもって離されている方が好ましい。
【００３０】
図４は、ラベル上端部位置に設けた破断用細長孔群の形態例を示す図である。破断用細長孔群３の各細長孔は、図４に示すように、その全てが分断補助線２と平行に複数縦列して設けられていてもよい（図４に示した形態は参考例である。）が、図１、図２又は図３に示すように、破断用細長孔群３を構成する細長孔のうち、ラベル上端に最も近い位置に設けられた細長孔（例えば、図１で示すならば、細長孔３ａ１と３ｂ１）は、左右共にラベルの上端側が互いの方向、すなわち内側に傾けられて形成されていることが好ましい。なお、ラベル下端側についても同様であり、破断用細長孔群３を構成する細長孔のうち、ラベル下端に最も近い位置に設けられた細長孔についても左右共にラベルの下端側が互いの方向に傾けられて形成されていることが好ましい。細長孔の先端部が分断補助線に近づくため、破断用細長孔群を起点とする引き裂きを分断補助線に導きやすくできる。また、指腹の形状に合わせたこととなり、指腹で押しずらす剥がし方においてより剥がしやすくなる。図５は、破断用細長孔群の先端２個分の細長孔の部分拡大図を示した。図５に示すように、ラベル下端に最も近い位置に設けられた細長孔が互いの方向に傾けられた角度αは０〜５０°とすることが好ましく、１０〜２０°とすることがより好ましい。αが５０°を超えると、分断補助線２と破断用細長孔群３とが離れすぎて破断用細長孔群３の破断を分断補助線２に導けない場合が生じる。
【００３１】
本実施形態に係る熱収縮性筒状ラベルでは、上記構成の熱収縮性筒状ラベルに加えて、図１、図２（ａ）（ｃ）、図３（ａ）（ｃ）又は図４（ｂ）に示すように、ラベルの上端５ａ又は下端５ｂ或いはその両方に、一組の破断用細長孔群の間に設けられた左右一組のきっかけ部９を有することが好ましい。なお、一組の破断用細長孔群の間とは、破断用細長孔群上を走る仮想線上の間も含む意味であり、破断用細長孔群の一部がラベルの上端５ａ又は下端５ｂと交差していることを意味するわけではない。ここで、左側きっかけ部９ｂは左側分断補助線４ｂ上に設けられ、右側きっかけ部９ａは右側分断補助線４ａ上に設けられていることが好ましい。きっかけ部９での破断が分断補助線４に導かれやすく、開封性が向上する。また、爪を立ててラベルを剥がして剥がし用のつまみを形成する場合に有効である。きっかけ部９の深さ（ラベルの上端又は下端からの切れ込み深さ）は、０．５〜４ｍｍとすることが好ましく、より好ましくは０．８〜２ｍｍである。きっかけ部９の幅（Ｙ方向の長さ）は、０．２５〜１．５ｍｍとすることが好ましく、より好ましくは０．５〜１ｍｍである。
【００３２】
破断用細長孔群３の上端側又は下端側の細長孔の先端側は、きっかけ部９を向いていることが好ましい。指腹で、破断用細長孔群３で挟まれた領域を押しずらす場合に、破断用細長孔群３の破断をきっかけ部３に導き、続いてその破断を分断補助線４に導きやすくなる。きっかけ部９を分断補助線４上に設けた場合は、αを０°とすると分断補助線４上に破断用細長孔群３が乗ってしまい、破断用細長孔群３が破れ易くなる。そこで、きっかけ部９を分断補助線４上に設けた場合は、破断用細長孔群３の上端側又は下端側の細長孔を互いの方向に傾ける（すなわち、αを０°よりも大きくする）と、破断用細長孔群３が分断補助線４上に乗ってしまうことを防止できる。破断用細長孔群３の上端側又は下端側の細長孔の先端ときっかけ部９の底端との距離は、０．５〜４ｍｍとすることが好ましく、より好ましくは１〜２ｍｍである。
【００３３】
本実施形態に係る熱収縮性筒状ラベルでは、図１に示すように、上記構成の熱収縮性筒状ラベルに加えて、さらに、左右一組の破断用細長孔群３で挟まれた領域に、滑り止め手段７を設けることが好ましい。指腹で押しずらす剥がし方において指腹で押さえつける力を低減させることができる。滑り止め手段７の形態例は、例えば、摩擦抵抗を増加させる印刷を施す手段、周方向Ｙに沿っていれられた切れ込み、多数開けられた小孔、ホットメルト接着剤の塗布、或いは、印刷インクに微粒子を混合し、ザラツキ感をだすなどがある。
【００３４】
次に本実施形態に係る熱収縮性筒状ラベルを装着した容器について、ラベルの剥がし方について説明する。図６にラベルの剥がし方を説明するための概略図を示した。
【００３５】
第１の剥がし方は従来からの剥がし方であり、具体的には、破断用細長孔群３で挟まれたラベルの上端５ａ又は下端５ｂを、爪を立てて手前に引っ掻く（図６（ａ））。この動作によって、破断用細長孔群３が破け、破断用細長孔群３で挟まれた部分が剥がし用のつまみとなってめくれる（図６（ｂ））。次にそのつまみを引っ張ることでラベルの上端５ａから下端５ｂまで、分断補助線２に沿って破け（図６（ｃ））、ラベル全体を剥がすことができる。
【００３６】
第２の剥がし方は、本実施形態に係る熱収縮性筒状ラベルの固有の剥がし方であり、具体的には、破断用細長孔群３で挟まれた部分を指腹で押しずらす（図６（ｄ））。ここで例えば、親指の腹若しくは人差し指の腹で押しずらすやり方が開けやすい。また、滑り止め手段７を設けておけば、指腹とラベルとが滑りにくくなるため、ずらしやすくなる。この動作によって、破断用細長孔群３が破け、破断用細長孔群３で挟まれた部分が剥がし用のつまみとなってめくれる（図６（ｅ））。次にそのつまみを引っ張ることでラベルの上端５ａから下端５ｂまで、分断補助線２に沿って破け（図６（ｆ））、ラベル全体を剥がすことができる。本実施形態に係る熱収縮性筒状ラベルでは、指腹で押しずらす剥がし方ができるので、ラベルが熱収縮して、ボトルにぴったりと張り付いている場合においても、さらにリブの窪みがあっても、容易にラベルを剥がすことができる。
【００３７】
図１〜３で示した熱収縮性筒状ラベルは、第２の剥がし方では非常に開封しやすかった。図１、図２（ａ）（ｃ）及び図３（ａ）（ｃ）はさらに第１の剥がし方でも非常に開封しやすかった。なお、図２（ａ）（ｃ）は、図３（ａ）（ｃ）の場合よりもボトル輸送時等でより破け難いことも確認できた。
【００３８】
図１〜図４に示した熱収縮性筒状ラベルは、シュリンク前の状態を図示している。そこで、図７に図２（ａ）タイプの熱収縮性筒状ラベルをボトルにシュリンクして密着したときの部分拡大画像を示した。図８に図２（ｄ）タイプの熱収縮性筒状ラベルをボトルにシュリンクして密着したときの部分拡大画像を示した。
【００３９】
図７では、周方向Ｙに張力が働いているため、細孔孔の短径方向が閉じずに開口している状態で装着されていることが確認できた。図８では、図７と比較すると、周方向Ｙに張力が働いており、細孔孔が２つであることから、細孔孔の短径方向がより開き気味となっていることが確認できた。指腹でずらした場合、細孔孔と細孔孔との間の非開口部分である橋部が破断され、ズレの変位が急激に増加し、その後は一層ずらしやすくなる。
【００４０】
本実施形態に係る熱収縮性筒状ラベルを用いた容器は、飲用後爪によっても指腹によってもラベルを容易に剥がすことができるため、各種製品用、特に飲料用の容器として好適に使用できる。
【図面の簡単な説明】
【００４１】
【図１】第１形態に係る熱収縮性筒状ラベルの正面概略図を示す。
【図２】ラベル上端部位置に設けた破断用細長孔群の形態例を複数例示す図である。
【図３】ラベル上端部位置に設けた破断用細長孔群の形態例を複数例示す図である。
【図４】ラベル上端部位置に設けた破断用細長孔群の形態例を複数例示す図である。
【図５】破断用細長孔群の先端２個分の細長孔の部分拡大図を示した。
【図６】ラベルの剥がし方を説明するための概略図であり、（ａ）〜（ｃ）は爪で引っ掻く剥がし方、（ｄ）〜（ｆ）は指腹で押しずらす剥がし方を示した。
【図７】図２（ａ）タイプの熱収縮性筒状ラベルをボトルにシュリンクして密着したときの部分拡大画像を示した。
【図８】図２（ｄ）タイプの熱収縮性筒状ラベルをボトルにシュリンクして密着したときの部分拡大画像を示した。
【符号の説明】
【００４２】
１  センターシール部分
２  分断補助線
２ｂ  左分断補助線
２ａ  右分断補助線
３  破断用細長孔群
３ａ１，３ａ２，３ａ３  細長孔
４  周方向の端
４ａ  右端
４ｂ  左端４
５ａ  筒状ラベルの上端
５ｂ  筒状ラベルの下端
７  滑り止め手段
９  きっかけ部
９ｂ  左側きっかけ部
９ａ  右側きっかけ部
１００  熱収縮性筒状ラベル
Ｘ  筒状ラベルの主軸
Ｙ  周方向
ｋ  破断用細長孔群の長さ
【図１】
0004934576.tif 000002
【図２】
0004934576.tif 000003
【図３】
0004934576.tif 000004
【図４】
0004934576.tif 000005
【図５】
0004934576.tif 000006
【図６】
0004934576.tif 000007
【図７】
0004934576.tif 000008
【図８】
0004934576.tif 000009